(57)【要約】  【課題】腰回りシャーリングの脇部において、接着剤によるシートの硬化を防止し、柔らかさを付与するようにしたパンツ型使い捨ておむつを提供する。  【解決手段】前身頃Ｆ及び後身頃Ｂに水平方向に沿って配置された複数の腰回り弾性伸縮部材25,25…群を備えるとともに、前記前身頃Ｆ及び後身頃Ｂに前記腰回り弾性伸縮部材25,25…群と交差するように配置された湾曲弾性伸縮部材26…、28…群を備えたパンツ型使い捨ておむつにおいて、前記腰回り弾性伸縮部材25,25…群は、その周面に塗布された接着剤によって前記外装シート20に固着され、前記湾曲弾性伸縮部材26…、28…群は、前記腰回り弾性伸縮部材25,25…群の配設領域において、該湾曲弾性伸縮部材26…、28…の周面に接着剤が塗布されることなく、前記腰回り弾性伸縮部材25,25…との交差部において該腰回り弾性伸縮部材26…、28…の周面に塗布された接着剤によって固着されている。【選択図】図５
2006149745.tif 000002
【特許請求の範囲】
【請求項１】
吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成され、前記前身頃及び後身頃に上下方向に間隔をおいて水平方向に沿って配置された複数の腰回り弾性伸縮部材群によって腰回りシャーリングが形成されるとともに、前記前身頃及び／又は後身頃に前記腰回り弾性伸縮部材群と交差するように配置された湾曲弾性伸縮部材群を備えたパンツ型使い捨ておむつにおいて、
前記腰回り弾性伸縮部材群は、該弾性伸縮部材の周面に塗布された接着剤によって前記外装シートに固着され、前記湾曲弾性伸縮部材群は、少なくとも腰回り弾性伸縮部材群の配設領域において、該湾曲弾性伸縮部材の周面に接着剤が塗布されることなく、前記腰回り弾性伸縮部材との交差部において該腰回り弾性伸縮部材の周面に塗布された接着剤によって固着されていることを特徴とするパンツ型使い捨ておむつ。
【請求項２】
前記外装シートの前身頃と後身頃とが接合された両側部において、前記腰回り弾性伸縮部材と、湾曲弾性伸縮部材との離間距離が１mm以下とされる請求項１記載のパンツ型使い捨ておむつ。
【請求項３】
前記外装シートの前身頃と後身頃とが接合された両側部において、前記外装シートの側縁部から内方側へ５〜２０mmの範囲に接着剤が塗布され、前記湾曲弾性伸縮部材群が前記接着剤によって外装シートに固着されている請求項１、２いずれかに記載のパンツ型使い捨ておむつ。
【請求項４】
前記腰回り弾性伸縮部材群が配設された腰回りシャーリング部以外のおむつ中間領域において、前記湾曲弾性伸縮部材群は、外装シートに塗布された接着剤によって固着されている請求項１〜３いずれかに記載のパンツ型使い捨ておむつ。
【請求項５】
前記湾曲弾性伸縮部材群は、前身頃と後身頃とを接合する一方側接合縁から股下側に延び、股下側を迂回して反対側の他方側接合縁に到達するとともに、互いに交差することなく間隔をおいて配置された複数本の弾性伸縮部材群とされ、かつ前記湾曲弾性伸縮部材群の始終端は、前身頃と後身頃との接合縁のほぼ上部から下部の範囲に亘り所定の間隔で接続されている請求項１〜４いずれかに記載のパンツ型使い捨ておむつ。
【請求項６】
前記湾曲弾性伸縮部材群は前身頃及び／又は後身頃において、少なくとも５本以上配置されている請求項１〜５いずれかに記載のパンツ型使い捨ておむつ。
【発明の詳細な説明】
【技術分野】
【０００１】
本発明は、前身頃及び後身頃に上下方向に間隔をおいて水平方向に沿って配置された複数の腰回り弾性伸縮部材群によって腰回りシャーリングが形成されるとともに、前身頃及び／又は後身頃において前記腰回り弾性伸縮部材群と交差するように配置された湾曲弾性伸縮部材群を備えたパンツ型使い捨ておむつにおいて、特に前記腰回りシャーリング部分における前記弾性伸縮部材群のシートへの固着方法を工夫することにより、接着剤によるシートの硬化を防止し、腰回りシャーリング部に柔らかさを付与したパンツ型使い捨て紙おむつ等に関する。
【背景技術】
【０００２】
従来より、パンツ型使い捨ておむつでは、体液の吸収を図る吸収体を身体に装着するため、前記吸収体を保持する不織布などに対して弾性伸縮部材を配設し、身体へのフィット性を向上させるようにしている。
【０００３】
例えば、下記特許文献１では、着用者の体形にフィットさせるとともに、腰部開口面からの尿漏れ、便漏れを防止するために、図１２に示されるように、透液性トップシートと不透液性バックシートとこれらの間に介在された吸収体とを有するおむつ本体を備え、製品状態で前身頃と後身頃とがその側部においてそれぞれ一体化されたパンツ型使い捨て紙おむつにおいて、前記前身頃の腹部相当個所に横方向に沿って１本または複数本の腹部弾性伸縮部材５１，５１…を設け、両端部が腹部相当個所に位置し、中央部が股下側に膨らみ、かつその中央部が前記吸収体の配設位置と交差する関係にあり、さらに製品の前後方向中央線から３０mm以上前身頃縁側に偏位する；１本または複数本の前身頃持ち上げ弾性伸縮部材５２，５２…を設け、かつ前記腹部相当個所に対応した後身頃の臀部個所に横方向に沿って１本または複数本の臀部弾性伸縮部材５３，５３…を設け、さらに後身頃において、両端部が前記臀部個所に位置し、中央部が股下側に膨らみ、かつその中央部が前記吸収体の配設位置と交差する関係にある１本または複数本の後身頃持ち上げ弾性伸縮部材５４，５４…を設けたパンツ型使い捨て紙おむつが開示されている。
【０００４】
また、下記特許文献２では、図１３に示されるように、吸収性本体と外装部材からなり、外装部材の前身頃及び後身頃には、水平方向に沿って腰回り弾性伸縮部材５７，５７…が配設されるとともに、複数本の伸縮弾性材料からなる第１弾性伸縮部材５５，５５…及び第２弾性伸縮部材５６，５６…が配置されており、これら弾性伸縮部材５５…、５６…は、それぞれが前後身頃の一方の側縁部から股下部を経て他方の側縁部に至っており、そのうちの少なくとも一部分が一対の脚回り開口部に沿って配置され、さらに股下部では一定の間隔で配置されているパンツ型使い捨ておむつが開示されている。
【０００５】
ところで、前記弾性伸縮部材をシートに対して固定する方法としては、大別すると従来より２通りの方法が存在する。第１の方法は、弾性伸縮部材の周面に対してホットメルト接着剤を塗布した後、シート上に導入し弾性伸縮部材を固定する方法であり、第２の方法は、シート側の弾性伸縮部材配設領域にホットメルト接着剤をカーテン塗布し、その上に弾性伸縮部材を導入し固定する方法である。前者の固定方法（以下、コントロールシーム方式）としては例えば下記特許文献３，４等を挙げることができる。後者の固定方法（以下、カーテン塗布方式）としては例えば下記特許文献５等を挙げることができる。
【特許文献１】特開平１０−１２７６８７号公報
【特許文献２】特開平１１−３６１０３号公報
【特許文献３】特開２００３−２６５５２０号公報
【特許文献４】特開平５−１４０５１１号公報
【特許文献５】特開平６−１９７９２５号公報
【発明の開示】
【発明が解決しようとする課題】
【０００６】
前記特許文献１記載のパンツ型使い捨て紙おむつにおいては、前身頃Ｆにおいては、水平方向に沿って配置された腹部弾性伸縮部材５１，５１…と、曲線形状に配置された前身頃持上げ弾性伸縮部材５２，５２…とが脇部で互いに密に交差する関係にあり、後身頃Ｂにおいては、水平方向に沿って配置された臀部弾性伸縮部材５３，５３…と、曲線形状に配置された後身頃持ち上げ弾性伸縮部材５４，５４…とが脇部で互いに密に交差する関係にある。なお、特許文献２記載の紙おむつもほぼ同様である。
【０００７】
前記弾性伸縮部材をシートを固定するに当たり、吸収体の配設領域（おむつ中間領域）については、吸収体自体が高い剛性を有するとともに、吸収体側が肌と接触するため、外装シートに対する弾性伸縮部材の固定方法はあまり問題とならないが、おむつの脇部は吸収体が存在せず、腰回りシャーリングによって直接肌を締め付ける部分となるとともに、特に弾性伸縮部材が密集する領域となっているため、仮にシート側にホットメルト等の接着剤を塗布するカーテン塗布方式を採用した場合には、１回の塗布工程の後はその塗布領域に多数の弾性伸縮部材を任意の形状で配置することができ、製造が効率化できるという利点を有するものの、シート面に塗布されたホットメルト接着剤によりシートが硬くなり、ゴワ付き感が出るようになるため装着感や手触り感が悪くなるという問題が発生する。
【０００８】
一方、前記脇部において、弾性伸縮部材の周面にホットメルト等の接着剤を塗布するコントロールシーム方式を採用した場合は、前記カーテン塗布方式と比較すると、格段にシートの硬化を防止でき、腰回りシャーリング部の装着感が良好になるとともに手触り感も柔らかいものとなるが、弾性伸縮部材の本数が多くなると、やはりホットメルト接着剤のシートへの転着面積が多くなるため、シートが硬化し装着感が部分的に悪くなるなどの問題が発生していた。
【０００９】
そこで本発明の主たる課題は、前身頃及び後身頃に上下方向に間隔をおいて水平方向に沿って配置された複数の腰回り弾性伸縮部材群によって腰回りシャーリングが形成されるとともに、前身頃及び／又は後身頃に前記腰回り弾性伸縮部材群と交差するように配置された湾曲弾性伸縮部材群を備えたパンツ型使い捨ておむつにおいて、特に前記腰回りシャーリングの脇部における前記弾性伸縮部材のシートへの固着方法を工夫することにより、接着剤によるシートの硬化を防止し、柔らかさを付与するようにしたパンツ型使い捨ておむつを提供することにある。
【課題を解決するための手段】
【００１０】
前記課題を解決するために請求項１に係る本発明として、吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成され、前記前身頃及び後身頃に上下方向に間隔をおいて水平方向に沿って配置された複数の腰回り弾性伸縮部材群によって腰回りシャーリングが形成されるとともに、前記前身頃及び／又は後身頃に前記腰回り弾性伸縮部材群と交差するように配置された湾曲弾性伸縮部材群を備えたパンツ型使い捨ておむつにおいて、
前記腰回り弾性伸縮部材群は、該弾性伸縮部材の周面に塗布された接着剤によって前記外装シートに固着され、前記湾曲弾性伸縮部材群は、少なくとも腰回り弾性伸縮部材群の配設領域において、該湾曲弾性伸縮部材の周面に接着剤が塗布されることなく、前記腰回り弾性伸縮部材との交差部において該腰回り弾性伸縮部材の周面に塗布された接着剤によって固着されていることを特徴とするパンツ型使い捨ておむつが提供される。
【００１１】
上記請求項１記載の本発明においては、前記腰回り弾性伸縮部材群については、該弾性伸縮部材の周面に塗布された接着剤によって前記外装シートに固着するコントロールシーム方式によって弾性伸縮部材の固着を行い、一方前記湾曲弾性伸縮部材群については、少なくとも腰回り弾性伸縮部材群の配設領域において、該湾曲弾性伸縮部材の周面に接着剤を塗布することなく、前記腰回り弾性伸縮部材との交差部において該腰回り弾性伸縮部材の周面に塗布された接着剤を利用して固着するようにしている。従って、弾性伸縮部材が密集する腰回りシャーリングの脇部において、接着剤の使用量及び範囲が最小化されるため、接着剤によるシートの硬化を防止でき、柔らかさを付与することができる。
【００１２】
請求項２に係る本発明として、前記外装シートの前身頃と後身頃とが接合された両側部において、前記腰回り弾性伸縮部材と、湾曲弾性伸縮部材との離間距離が１mm以下とされる請求項１記載のパンツ型使い捨ておむつが提供される。
【００１３】
上記請求項２記載の本発明においては、おむつ両側部において、前記腰回り弾性伸縮部材と、湾曲弾性伸縮部材との離間距離が１mm以下となるようにそれぞれパターンを決定するものである。すなわち、前記腰回り弾性伸縮部材と、湾曲弾性伸縮部材との交点部を側縁部に近づけるようにすることにより、紙おむつ製造工程において両側縁相当位置で切断した際に、前記湾曲弾性伸縮部材の引込みを無くし、これら湾曲弾性伸縮部材の始終端を側縁近傍とできるようになる。
【００１４】
請求項３に係る本発明として、前記外装シートの前身頃と後身頃とが接合された両側部において、前記外装シートの側縁部から内方側へ５〜２０mmの範囲に接着剤が塗布され、前記湾曲弾性伸縮部材群が前記接着剤によって外装シートに固着されている請求項１、２いずれかに記載のパンツ型使い捨ておむつが提供される。
【００１５】
上記請求項３記載の本発明においては、前記湾曲弾性伸縮部材は、基本的には腰回り弾性伸縮部材のコントロールシームを利用してシートに固着させるようにするものの、紙おむつ製造工程において両側縁相当位置で切断した際に、前記湾曲弾性伸縮部材の引込みを無くすために、極狭い範囲に限定して部分的にカーテン塗布方式を併用するものである。
【００１６】
請求項４に係る本発明として、前記腰回り弾性伸縮部材群が配設された腰回りシャーリング部以外のおむつ中間領域において、前記湾曲弾性伸縮部材群は、外装シートに塗布された接着剤によって固着されている請求項１〜３いずれかに記載のパンツ型使い捨ておむつが提供される。
【００１７】
上記請求項４記載の本発明においては、前記腰回り弾性伸縮部材のシートへの固着に関し、腰回りシャーリング部分では腰回り弾性伸縮部材のコントロールシームを利用してシートに固着させるようにするが、腰回りシャーリング部以外のおむつ中間領域において、前記湾曲弾性伸縮部材群は、外装シートに塗布された接着剤によって固着する、所謂カーテン塗布方式を採用するものである。
【００１８】
請求項５に係る本発明として、前記湾曲弾性伸縮部材群は、前身頃と後身頃とを接合する一方側接合縁から股下側に延び、股下側を迂回して反対側の他方側接合縁に到達するとともに、互いに交差することなく間隔をおいて配置された複数本の弾性伸縮部材群とされ、かつ前記湾曲弾性伸縮部材群の始終端は、前身頃と後身頃との接合縁のほぼ上部から下部の範囲に亘り所定の間隔で接続されている請求項１〜４いずれかに記載のパンツ型使い捨ておむつが提供される。
【００１９】
請求項６に係る本発明として、前記湾曲弾性伸縮部材群は前身頃及び／又は後身頃において、少なくとも５本以上配置されている請求項１〜５いずれかに記載のパンツ型使い捨ておむつが提供される。
【発明の効果】
【００２０】
以上の本発明によれば、弾性伸縮部材が密集する腰回りシャーリングの脇部において、接着剤の使用量及び範囲が最小化されるため、接着剤によるシートの硬化を防止でき、柔らかさを付与することができるようになる。
【発明を実施するための最良の形態】
【００２１】
以下、本発明の実施の形態について図面を参照しながら詳述する。
〔第１形態例〕
図１は本発明に係るパンツ型使い捨て紙おむつ１の製品状態外観図であり、図２は展開状態での組み立て図である。
【００２２】
図１及び図２に示されるように、本パンツ型使い捨て紙おむつ１（以下、単に紙おむつという。）は、不織布などからなる透液性表面シート１１と、ポリエチレン等からなる防漏シート１２との間に、綿状パルプなどの吸収体１３を介在させた吸収性本体１０と、この吸収性本体１０の外面側に一体的設けられた外装シート２０とからなり、製品状態で前記外装シート２０の前身頃と後身頃とが両側部において接合されることによりウエスト開口部及び左右一対のレッグ開口部が形成された構造のパンツ型紙おむつである。
【００２３】
以下、前記吸収性本体１０の構造、外装シート２０とその製造方法、おむつの組立手順の順で説明する。
【００２４】
（吸収性本体１０の構造）
先ず最初に、吸収性本体１０の構造の一例について図３及び図４に基づいて詳述する。
【００２５】
吸収性本体１０は、前述したように、不織布などからなる透液性表面シート１１と、ポリエチレン等からなる防漏シート１２との間に、綿状パルプなどの吸収体１３を介在させた構造とされ、体液を吸収保持するものである。
【００２６】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性表面シート１１を透過した体液の拡散性向上のためにクレープ紙１４によって囲繞されている。なお、前記吸収体１３としては、嵩を小さくできるエアレイド吸収体を用いるのが望ましい。
【００２７】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００２８】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２９】
一方、立体ギャザーＢＳを形成するギャザー不織布１５は、図４に示されるように、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３０】
前記二重シート不織布によって形成されたギャザー不織布１５の内部には、起立先端側部分に複数本の糸状弾性伸縮部材１６、１６…が配設されている。前記糸状弾性伸縮部材１６、１６…は、製品状態において図４(B)に示されるように、弾性伸縮力により吸収体側縁部より突出する不織布部分を起立させて立体ギャザーＢＳを形成するためのものである。
【００３１】
前記防漏シート１２は、前記二重シート状のギャザー不織布１５の内部まで進入し、図４に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３２】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは150〜350％、間隔は7.0mm以下として配設するのがよい。なお、糸状弾性伸縮部材に代えて、ある程度の幅を有するテープ状弾性伸縮部材を用いるようにしてもよい。
【００３３】
前述のギャザー不織布１５を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
（外装シート２０の構造）
本願発明者等は、パンツ型使い捨ておむつ１の外装シート２０の開発に当たり、従来にも増して紙おむつを身体に違和感を与えることなく、フィットさせ得るとともに、おむつのずり落ちを効果的に防止し得る弾性伸縮部材配置の検討を行った。その結果、下記の知見を得るに至った。
【００３５】
(1)複雑な立体形状を成している身体に紙おむつ全体をフィットさせるには、特許文献１に示すように、ウエスト開口部、レッグ開口部、腰回り部の３つの部分にそれぞれ、独立的に弾性伸縮部材を配設するのではなく、おむつ全体に弾性伸縮部材を配置し、紙おむつを均等に身体に密着させる必要があること。
【００３６】
(2)身体の前側部分は、身体の後側に比べて臀部のような引掛かりとなる膨らみがないため、紙おむつのずり落ちは主として前身頃側で顕著に発生する傾向にあること。
【００３７】
(3)紙おむつを身体に密着させるに当たり、身体の前側部分に比べて身体の後側は臀部の膨らみによって強い立体形状を成しているとともに、複雑な曲線形状を成しており、身体に違和感を与えることなく紙おむつをフィットさせるには、前記臀部の立体形状を考慮した弾性伸縮部材の配置パターンとしなければならないこと。
【００３８】
(4)従来の脚回り弾性伸縮部材は、実質的に脚回りラインに沿って配設されているが、この脚回り弾性伸縮部材は２，３本程度の弾性伸縮部材を間隔を密にして実質的に一束として（以下、束状弾性伸縮部材という。）、あたかもこれら弾性伸縮部材によって１本のラインを形成するように配置されており、主としてレッグ開口縁と身体との隙間を塞ぐための機能しか担っておらず、吸収体を身体に密着させるための機能は有していないこと。
【００３９】
本発明では、上記知見に基いて、各種の弾性伸縮部材を以下のパターンで配設した外装シート２０を得るに至った。
【００４０】
先ず、外装シート２０は、図２及び図５に示されるように、上層不織布２０Ａ及び下層不織布２０Ｂからなる２層構造の不織布シートとされ、前記上層不織布２０Ａと下層不織布２０Ｂとの間に各種弾性伸縮部材が配設され、伸縮性が付与されている。平面形状は、中間両側部に夫々脚部開口を形成するために形成された凹状の脚回りカットライン２９により、全体として擬似砂時計形状を成している。
【００４１】
本発明に係る外装シート２０においては、前記弾性伸縮部材として、図５に示される展開形状に示されるように、前記ウエスト開口部回り２３に配置されたウエスト部弾性伸縮部材２４，２４…と、前身頃Ｆ及び後身頃Ｂに、上下方向に間隔をおいて水平方向に沿って配置された複数の腰回り弾性伸縮部材群２５，２５…とを有するとともに、前身頃Ｆ及び後身頃Ｂのそれぞれにおいて、前記腰回り弾性伸縮部材群２５，２５…とは別に、前身頃Ｆと後身頃Ｂとを接合する一方側接合縁から股下側に延び、股下側を迂回して前身頃と後身頃との他方側接合縁に到達するとともに、互いに交差することなく間隔をおいて配置された複数本の湾曲弾性伸縮部材群２６…、２８…を備えるものである。なお、本外装シート２０では、前記脚回りカットライン２９に沿って実質的に連続する、所謂脚回り弾性伸縮部材（束状弾性伸縮部材）は設けられていない。
【００４２】
以下、前記各種弾性伸縮部材毎に詳述する。
【００４３】
前記ウエスト部弾性伸縮部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００４４】
前記腰回り弾性伸縮部材群２５，２５…は、脇部接合縁２１、２２の内、概ね上部から下部までの範囲に亘り、上下方向に間隔をおいて水平方向に沿って配設された糸ゴム状の弾性伸縮部材であり、前身頃Ｆ及び後身頃Ｂの腰回り部分に夫々水平方向の伸縮力を与える腰回りシャーリングが形成され、紙おむつを身体に密着させるためのものである。なお、前記ウエスト部弾性伸縮部材２４、２４…と腰回り弾性伸縮部材群２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材として機能し、残りの弾性伸縮部材が腰回り弾性伸縮部材として機能していればよい。
【００４５】
本紙おむつにおいて、前記湾曲弾性伸縮部材２６…、２８…に関しては、前身頃側Ｆに配置された湾曲弾性伸縮部材２８，２８…群の配置パターンと、後身頃側Ｂに配置された湾曲弾性伸縮部材２６，２６…群との配置パターンとを異ならせている。具体的には、前身頃側Ｆに配置された湾曲弾性伸縮部材２８，２８…群は、前記吸収性本体１０の側縁との交差部において、前記湾曲弾性伸縮部材２８，２８…群と吸収性本体側縁との鋭角側交差角θが３０°以下となる曲線配置とし、一方、後身頃側Ｂに配置された湾曲弾性伸縮部材２６，２６…群は、前記吸収性本体１０の側縁との交差部において、前記湾曲弾性伸縮部材２６，２６…群と吸収性本体側縁との鋭角側交差角αが３５°以上の曲線配置とするものである。
【００４６】
身体の前側部分は、身体後側に比べて臀部のような引掛かりとなる膨らみがないため、紙おむつのずり落ちは主として前身頃側で顕著に発生する傾向にあるため、相対的にきつい傾斜角度で弾性伸縮部材群を配置するものとする。従って、仮に傾斜角θが３０°である場合、cos３０°＝0.866となり、付与された弾性力の８６．６％以上の力を上方向力として作用させることができ、紙おむつのずり落ちを効果的に防止できるようになる。
【００４７】
一方、後身頃側Ｂでは、紙おむつのずり落ちよりも身体へのフィット性を重要視し、臀部の膨らみ形状に対して外装シート２０をフィットさせるために、臀部の膨らみに対し極力沿う方向に伸縮力を作用させるべく、相対的に緩い傾斜角度で弾性伸縮部材２６，２６…群を配置するものとする。従って、仮に傾斜角αが３５°である場合、sin３５°＝0.574となり、付与された弾性力の５７．４％以上の力を横方向力として作用させることができ、臀部を包み込むように外装シート２０を身体に密着させ得るようになる。その結果、吸収性本体１０を中央側に縮こまりさせることが無くなるとともに、吸収性本体１０を身体に密着させることにより漏れ防止効果が高まるようになる。
【００４８】
以下、具体的に詳述すると、
前記外装シート２０の前身頃Ｆにおいて、前記腰回り弾性伸縮部材群２５，２５…とは別に配設された腹側湾曲弾性伸縮部材群２８，２８…は、一方側の脇部接合縁２１からほぼ脚回りカットライン２９に沿うように股下部に延び、股下部を迂回して反対側の脚回りカットライン２９にほぼ沿いながら他方側の脇部接合縁２１に到達するように配置された複数本の、図示例では９本の糸状弾性伸縮部材であり、これら腹側湾曲弾性伸縮部材群２８，２８…は、互いに交差することなく、間隔をおいて配置されている。この腹側湾曲弾性伸縮部材群２８、２８…は、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００４９】
前記腹側弾性伸縮部材群２８，２８…の始終端は、前身頃Ｆと後身頃Ｂとの脇部接合縁２１，２１のほぼ上部から下部の範囲に亘り、所定の間隔で接続され、前記吸収性本体１０の側縁との交差部において、前記腹側湾曲弾性伸縮部材群２８，２８…と吸収性本体１０側縁との鋭角側交差角θが３０°以下、好ましくは２８°以下となる配置パターンで配置されている。因みに、図示例では交差角θが２６°前後となるように配置されている。前記交差角θは、水平方向分力と鉛直方向分力のバランスから、少なくとも２０°以上とするのが望ましい。
【００５０】
また、前記腹側湾曲弾性伸縮部材群２８，２８…は、吸収体１３の幅方向に作用する力を極小化し、該股下部での吸収体１３の縮こまりを防止するために、股下部の迂回部において、ほぼ弧状曲線状に方向転換されていることが望ましい。
【００５１】
本紙おむつ１においては、身体の前側部分Ｆには身体の後側臀部のような引掛かりとなる膨らみがないため、紙おむつのずり落ちは主として前身頃側Ｆで顕著に発生する傾向にあるとの知見に鑑み、相対的にきつい傾斜角度で弾性伸縮部材群２８，２８…を配置するようにしたものであり、図示例のように、交差角θ＝２６°で伸縮部材２８、２８…が配置されているとすると、与えた伸縮力の９０％を上方向分力として作用させることができ、紙おむつのずり落ちを効果的に防止できるようになる。
【００５２】
一方、後身頃Ｂにおいて、前記腰回り弾性伸縮部材群２５，２５…とは別に配設された背側湾曲弾性伸縮部材群２６、２６…も、一方側の脇部接合縁２２からほぼ脚回りカットライン２９に沿うように股下部に延び、股下部を迂回して反対側の脚回りカットライン２９にほぼ沿いながら他方側の脇部接合縁２２に到達するように配置された複数本、図示例では９本の糸ゴム状弾性伸縮部材であり、これら背側湾曲弾性伸縮部材群２６、２６…は互いに交差することなく、間隔をおいて配置されている。この背側湾曲弾性伸縮部材群２６、２６…も、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００５３】
前記背側湾曲弾性伸縮部材群２６，２６…の始終端も、前身頃Ｆと後身頃Ｂとの接合縁のほぼ上部から下部の範囲に亘り所定の間隔で接続され、前記吸収性本体１０の側縁との交差部において、前記背側湾曲弾性伸縮部材群２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。交差角α＝４７°で伸縮部材２６、２６…が配置されているとすると、与えた伸縮力の７３％を水平方向分力として作用させることができるようになり、臀部を包み込むように外装シート２０を身体に密着させることができるようになる。前記交差角αは、水平方向分力と鉛直方向分力のバランスから、大きくとも６０°以下とするのが望ましい。
【００５４】
この前記背側湾曲弾性伸縮部材群２６，２６…についても、股下部の迂回部において、弧状曲線状に方向転換されていることが望ましい。弾性伸縮部材では接線方向に伸縮力が作用するところ、股下部において曲線状に反転させることにより、吸収体１３の幅方向に作用する力を極小化でき、該股下部での吸収体１３の縮こまりを防止することが可能となる。
【００５５】
本紙おむつ１では、後身頃Ｂにおいて、臀部の膨らみ形状に対応して外装シート２０をフィットさせるために、臀部の膨らみに対し極力沿う方向に伸縮力を作用させるべく、相対的に緩い傾斜角度で弾性伸縮部材群２６，２６…を配置するようにしたものである。その結果、吸収性本体１０を中央側に縮こまらせることがなくなるとともに、確実に身体に密着させることにより漏れ防止効果が高まるようになる。
【００５６】
ところで、前記前身頃側Ｆに配置された腹側湾曲弾性伸縮部材群２８，２８…の内の最股下側弾性伸縮部材２８１と、前記後身頃側Ｂに配置された背側湾曲弾性伸縮部材群２６，２６…の内の最股下側弾性伸縮部材２６１とは、股下部において互いに交差することなく近接していることが望ましい。股下部において、前記湾曲弾性伸縮部材群２８…、２６…によって吸収性本体１０を均等の圧力で身体側に押付け密着させるため、身体との隙間が封鎖され、高い漏れ防止効果が発揮されるようになる。
【００５７】
以上詳説のとおり本形態例に係る外装シート２０によれば、すべての弾性伸縮部材は、脇部接合縁を始終端として配置されているため、相対的に脇部接合縁での締め付け力が高く設定でき、その結果、すべての弾性伸縮部材は前記脇部接合縁を固定点として伸縮力を発揮するようになるため、体液吸収時において確実に紙おむつのずり落ちを防止し得るようになる。また、紙おむつをショーツやブリーフのように身体のラインに沿わせて密着させることにより、はき心地の良いものとなるとともに、漏れ防止効果が高まるようになる。
【００５８】
さらに具体的に効果を述べれば、
(1)外装シート全体が身体の立体形状に沿って密着するようになる。その結果、吸収性本体は身体に密着し、体液の漏れを効果的に防止できるようになるとともに、動きにも追従するため、装着感が良好となる。
(2)従来のように部分的に弾性伸縮部材を配置するパターンを採らず、全体に均一に多くの弾性伸縮部材を配置するようにしたため、弾性体１本当たりの伸縮力を小さく抑えることができ、従来の紙おむつよりも小さな力で伸ばし、はくことができる。また、未装着状態で外装シートが小さく縮こまることがないため、足が引っ掛かりにくくはきやすくなる。
(3)従来の紙おむつのように、ウエスト部や脚回りに締め付け力が集中しないため、圧迫感やゴムによる跡付きを解消することができる。
【００５９】
（外装シート２０における弾性伸縮部材の固着方法）
次に、前記外装シート２０における各種弾性伸縮部材の固着方法について説明する。
【００６０】
本外装シート２０においては、図６に示されるように、腰回りシャーリングゾーンＫ１，Ｋ２においては、前記ウエスト部弾性伸縮部材２４，２４…及び腰回り弾性伸縮部材群２５，２５…が、該ウエスト部弾性伸縮部材２４，２４…及び弾性伸縮部材２５，２５…の周面に塗布された接着剤によって前記外装シート２０に固着され、前記湾曲弾性伸縮部材群２６…、２８…は、その周面に接着剤が塗布されることなく、前記腰回り弾性伸縮部材２５，２５…との交差部において該腰回り弾性伸縮部材２５，２５…の周面に塗布された接着剤を利用することによって固着されている。一方、前記腰回りシャーリングゾーンＫ１，Ｋ２以外のおむつ中間ゾーンＭにおいては、前記湾曲弾性伸縮部材群２６…、２８…は、外装シート２０の少なくとも一方側の不織布２０Ａ（２０Ｂ）に塗布された接着剤によって固着されている。
【００６１】
すなわち、前記腰回りシャーリングゾーンＫ１、Ｋ２においては、腰回り弾性伸縮部材２５，２５…については、公知のコントロールシーム方式に従って、弾性伸縮部材２５の周面にホットメルト接着剤が塗布された後、外装シート２０に導入されることによって固着されるが、前記背側湾曲弾性伸縮部材群２６，２６…及び腹側湾曲弾性伸縮部材群２８，２８…は、その周面に接着剤が塗布されることなく、前記腰回り弾性伸縮部材２５，２５…と共に、外装シート２０に導入される際に、前記腰回り弾性伸縮部材２５，２５…との交差部において該腰回り弾性伸縮部材２５，２５…の周面に塗布されたホットメルト接着剤によって固着されるものである。その結果、脇部では図７（腹側脇部を図示）に示されるように、腹側弾性伸縮部材２８，２８…は、腰回り弾性伸縮部材２５との交差部（●印部）のみにおいて、腰回り弾性伸縮部材２５（及び接着剤の拡がりによって外装シート２０にも）に固着される。従って、弾性伸縮部材２５…，２６…，２８…が密集する脇部において、接着剤の使用量及び範囲が最小化されるため、接着剤によるシートの硬化を防止し、柔らかさを付与することができる。
【００６２】
この場合において、前記外装シートの前身頃Ｆと後身頃Ｂとが接合された両側部において、前記腰回り弾性伸縮部材２５，２５…と、湾曲弾性伸縮部材２６…、２８…との離間距離ｄは１mm以下とするのが望ましい。すなわち、側縁部において、前記腰回り弾性伸縮部材２５，２５…と、湾曲弾性伸縮部材２６…、２８…との交点部を側縁部に近づけるようにすることにより、紙おむつ製造工程において両側縁相当位置で切断した際に、前記湾曲弾性伸縮部材２６…、２８…の引込みを無くし、湾曲弾性伸縮部材２６…、２８…の始終端を側縁近傍とできるようになる。
【００６３】
なお、切断の際の前記湾曲弾性伸縮部材２６…、２８…の引込み量を完全に無くすためには、図１０に示されるように、外装シート２０の前身頃Ｆと後身頃Ｂとが接合された両側部において、前記外装シート２０の側縁部から内側へ５〜２０mmの範囲Ｓにホットメルト接着剤を補助的に塗布し、前記湾曲弾性伸縮部材群２６…、２８…を前記ホットメルト接着剤によって外装シート２０に固着すればよい。この場合は、図８(B)に示されるように、腰回りシャーリング部のおむつ切断部位（鎖線表示）に跨るように、部分的（Ｐ領域）にカーテン塗布を行うようにすればよい。
【００６４】
一方、腰回りシャーリング部以外のおむつ中間ゾーンＭにおいては、吸収体自体が高い剛性を有するとともに、吸収体側が肌と接触するため、外装シート２０に対する弾性伸縮部材の固定方法はあまり問題とならないため、外装シート２０の少なくとも一方側の不織布２０Ａ（２０Ｂ）にホットメルト接着剤が塗布された後、この接着剤塗布面に湾曲弾性伸縮部材２６…、２８…が導入され固着がなされる。
【００６５】
前記外装シート２０の製造に当たっては、図８に示されるように、ニップローラ部３０の上側に上層不織布２０Ａが供給されるとともに、下側に下層不織布２０Ｂが供給され、かつこれら上層不織布２０Ａと下層不織布２０Ｂとの間に、各種の弾性伸縮部材（ウエスト部弾性伸縮部材２４，腰回り弾性伸縮部材２５、背側湾曲弾性伸縮部材２６，腹側弾性伸縮部材２８）が供給され、外装シート２０が組み立てられる工程において、前記ウエスト部弾性伸縮部材２４及び腰回り弾性伸縮部材２５については、周面塗布装置３１により前記弾性伸縮部材２４…、２５…の周面にホットメルト接着剤が塗布され、ニップローラ部３０に供給される。
【００６６】
前記弾性伸縮部材２４…、２５…への周面塗布は、例えば、図９(A)に示されるように、Ｖ字型の溝を有する部材３４を用いて、溝の底部に接着剤を供給しながら弾性伸縮部材を溝に通すコームガン３１による塗布方法や、オメガ（Ω）形状のリング部材を用いて弾性伸縮部材に接着剤を塗布するオメガ部材による塗布方法、また、図９(B)に示されるように、曲折する部材３５に弾性伸縮部材を絡ませながら通過させ、接着剤を塗布する、従来より公知のコントロールシーム塗布方式等が挙げられる。
【００６７】
一方、前記湾曲弾性伸縮部材２６…、２８…は、公知のトラバース装置３２による曲線状に蛇行させながらニップローラー部３０に導入される。前記トラバース装置３２は、先端部分の弾性伸縮部材２６…、２８…の保持部を有し、連続ウエブ（シート２０Ａ、２０Ｂ）の幅方向への進退を計算された速度で行わしめることにより、弾性伸縮部材２６…、２８…を所定の湾曲形状に配置するようにしたものであり、本発明ではその周面にホットメルト接着剤が塗布されることなく導入され、前記腰回りシャーリング部では前記腰回り弾性伸縮部材２５，２５…との交差部において、該腰回り弾性伸縮部材２５，２５…の周面に塗布された接着剤によって固着される。
【００６８】
また、前記上層不織布２０Ａ、下層不織布２０Ｂの内の少なくとも一方側、図示例では上層側不織布２０Ａの腰回りシャーリング部以外のおむつ中間ゾーンＭに相当する領域に対しては、ホットメルト接着剤がコーター３３によってカーテン塗布され、前記湾曲弾性伸縮部材２６…、２８…はおむつ中間ゾーンＭにおいて、上層不織布２０Ａに塗布されたホットメルト接着剤によって固着される。
【００６９】
なお、上記ホットメルト接着剤としては、例えばＥＶＡ系、粘着ゴム系（エラストマー系）、オレフィン系、ポリエステル・ポリアミド系などの種類のものが存在するが、本使い捨ておむつでは、前記粘着ゴム系（エラストマー系）を使用するのが望ましい。
【００７０】
（紙おむつの組立手順）
前記吸収性本体１０と外装シート２０とは、図２に示されるように、外装シート２０の上面側に吸収性本体１０がホットメルト等の接着剤によって接着され一体化される。そして、吸収性本体１０および外装シート２０が前後方向に折り重ねられ、その両側部が相互に熱溶着またはホットメルト接着剤などによって接合されることによりパンツ型紙おむつに組み立てられる。
【００７１】
〔その他の形態例〕
(1)上記形態例では、前身頃Ｆ及び後身頃Ｂに配置された腰回り弾性伸縮部材群２５，２５…及び湾曲弾性伸縮部材２６…、２８…は、吸収性本体１０上においても連続させて配置するようにしたが、図１１に示されるように、吸収性本体１０を横切る弾性伸縮部材２５，２６…、２８…を切断し、不連続としてもよい。弾性伸縮部材２５，２６…、２８…を吸収性本体１０上で不連続とすることにより、吸収体１３の縮こまりを防止することができる。
【００７２】
弾性伸縮部材の不連続化は、例えば特開２０００−２６０１５号公報、特開２００２−２７３８０８号公報に示されるように、各種弾性伸縮部材を外装シート２０に配置した後、エンボスカッターロールとアンビルロールとの間に外装シートを通過させ、前記エンボスカッターロールによる加圧又は加熱により所定範囲内に存在する弾性伸縮部材を細かく切断する方法によればよい。
(2)上記形態例では、前記前身頃側Ｆに配置された腹側湾曲弾性伸縮部材群２８，２８…の内の最股下側弾性伸縮部材２８１と、前記後身頃側Ｂに配置された背側湾曲弾性伸縮部材群２６，２６…の内の最股下側弾性伸縮部材２６１とが、股下部において互いに交差することなく近接させるようにしたが、前記腹側湾曲弾性伸縮部材群２８，２８…の一部と、前記背側湾曲弾性伸縮部材群２６，２６…の一部とが交差していてもよい。
【図面の簡単な説明】
【００７３】
【図１】本発明に係るパンツ型使い捨て紙おむつ１の製品状態外観図である。
【図２】展開状態での組み立て図である。
【図３】吸収性本体１０の平面図である。
【図４】(A)は吸収性本体１０の展開状態での半横断面図、(B)はその製品状態を示す図である。
【図５】外装シート２０の展開図である。
【図６】外装シートにおける弾性伸縮部材の塗布方法区分け図である。
【図７】外装シート２０の脇部における湾曲弾性伸縮部材２８の固着態様の説明図である。
【図８】外装シート２０の組立て要領を示す、(A)は模式図、(B)はその要部平面図である。
【図９】コントロールシーム方式における接着剤の塗布要領例を示す図である。
【図１０】外装シート２０の脇部における湾曲弾性伸縮部材２８の固着態様（変形例）の説明図である。
【図１１】外装シート２０の変形例を示す展開図である。
【図１２】従来のパンツ型使い捨て紙おむつ（その１）を示す展開図である。
【図１３】従来のパンツ型使い捨て紙おむつ（その２）を示す正面図である。
【符号の説明】
【００７４】
１…紙おむつ、１０…吸収性本体、１１…透液性表面シート、１２…防漏シート、１３…吸収体、１４…クレープ紙、１５…ギャザー不織布、１６…糸状弾性伸縮部材、２０…外装シート、２１・２２…脇部接合縁、２４…ウエスト部弾性伸縮部材、２５…腰回り弾性伸縮部材、２６…背側湾曲弾性伸縮部材、２８…腹側湾曲弾性伸縮部材、２９…脚回りカットライン、Ｆ…前身頃、Ｂ…後身頃
【図１】
2006149745.tif 000003
【図２】
2006149745.tif 000004
【図３】
2006149745.tif 000005
【図４】
2006149745.tif 000006
【図５】
2006149745.tif 000007
【図６】
2006149745.tif 000008
【図７】
2006149745.tif 000009
【図８】
2006149745.tif 000010
【図９】
2006149745.tif 000011
【図１０】
2006149745.tif 000012
【図１１】
2006149745.tif 000013
【図１２】
2006149745.tif 000014
【図１３】
2006149745.tif 000015